(57)【要約】      （修正有）【課題】コネクタ部とアダプタにしっかりとした高い結合力を具備させたコネクタ連結構造を提供する。【解決手段】コネクタ部１と、アダプタ２を含み、コネクタ部にケーブル１１と、第１オスコネクタ１２と、第１磁性部材と、ガイド溝１４と、位置決め凹部がもうけられ、アダプタが第２オスコネクタ２１と、凹設された結合部２２を備え、結合部の位置に信号メスコネクタ２３と、第２磁性部材２４と、凸部２５と、弾性片２６がそれぞれ設けられ、これにより、コネクタ部とアダプタを相互に結合したとき、第１オスコネクタと信号メスコネクタを相互に電気的に接続し、第１磁性部材と第２磁性部材を相互に吸着させ、凸部とガイド溝を相互に結合させ、位置決め凹部と弾性片を相互に嵌合させることができ、コネクタ部とアダプタに高い結合力を具備させるとともに、第１オスコネクタをより小さな穿孔に穿通させた後に第２オスコネクタ経由で接続能力を発揮させることができる。【選択図】図２
0003216508.tif 000002
【実用新案登録請求の範囲】
【請求項１】
コネクタ連結構造であって、コネクタ部と、アダプタを含み、
前記コネクタ部の一端にケーブルが設けられ、他端に第１オスコネクタが設けられ、該コネクタ部の該第１オスコネクタ周囲に少なくとも１つの第１磁性部材が設置され、かつ該コネクタ部の少なくとも１つの側辺にガイド溝が設けられ、底面に位置決め凹部が形成され、該ガイド溝と該位置決め凹部が該第１オスコネクタに相隣し、
前記アダプタが該コネクタ部と相互に結合するために用いられ、該アダプタの一端に第２オスコネクタが設けられ、他端に結合部が凹設され、該第１オスコネクタと該第２オスコネクタの大きさが異なり、かつ該アダプタの該結合部の位置に、信号メスコネクタと、少なくとも１つの第２磁性部材と、凸部と、弾性片がそれぞれ設けられ、該信号メスコネクタと該第１オスコネクタが相互に対応して電気的に相互接続され、該第２磁性部材と該第１磁性部材が相互に対応して相互吸着され、該凸部と該ガイド溝が相互に対応して相互結合され、該弾性片と該位置決め凹部が相互に対応して相互嵌合され、また該アダプタの該結合部底面にさらに少なくとも１つのねじ孔が設けられ、該ねじ孔が予め設置されたねじ部材と相互に螺合するために用いられ、該コネクタ部と該アダプタを相互に結合したとき、該ねじ部材が該ねじ孔に穿設されて該コネクタ部の底部に当接される、ことを特徴とする、コネクタ連結構造。
【請求項２】
前記アダプタの側辺にさらに滑り止め部が設けられ、該滑り止め部が間隔をあけて配列された凹溝であることを特徴とする、請求項１に記載のコネクタ連結構造。
【請求項３】
前記アダプタの側辺にさらに滑り止め部が設けられ、該滑り止め部が間隔をあけて配列された凸部であることを特徴とする、請求項１に記載のコネクタ連結構造。
【請求項４】
前記アダプタの該結合部の頂部にさらに当接板が延伸して設けられ、該コネクタ部が該結合部の位置にあるとき、該コネクタ部が該当接板及び該結合部の底面に当接されることを特徴とする、請求項１に記載のコネクタ連結構造。
【請求項５】
前記第１オスコネクタが小型化された規格品であり、該第２オスコネクタが前記規格品より大きいサイズの規格品であることを特徴とする、請求項１に記載のコネクタ連結構造。
【請求項６】
前記コネクタ部の該第１オスコネクタ周囲に少なくとも１つの位置決め孔が設けられ、該アダプタの該結合部の位置に少なくとも１つの位置決めピンが設けられ、該位置決めピンと該位置決め孔が相互に対応して相互嵌合されることを特徴とする、請求項１に記載のコネクタ連結構造。
【考案の詳細な説明】
【技術分野】
【０００１】
本考案はコネクタ連結構造に関し、特に、コネクタ部に第１磁性部材、ガイド溝、位置決め凹部がそれぞれ設けられ、アダプタの結合部の位置に信号メスコネクタ、第２磁性部材、凸部、弾性片がそれぞれ設けられ、コネクタ部に設置された小さい第１オスコネクタと信号メスコネクタを相互に電気的に接続し、第１磁性部材と第２磁性部材を相互に吸着させるとともに、凸部とガイド溝を相互に結合させ、位置決め凹部と弾性片を相互に嵌合させることで、コネクタ部とアダプタをしっかりと結合することができ、同時に、第１オスコネクタをより小さな穿孔に穿通させた後、第２オスコネクタ経由で接続能力を発揮させることができる、コネクタ連結構造に関する。
【背景技術】
【０００２】
すでに長期に渡って発展してきた光ファイバー通信は、光と光ファイバーを利用して情報を伝達する１つの方法である。このため、光ファイバー通信は有線通信の一種であるが、光ファイバー通信システムは電信工業に対してすでに実質的に革命的な作用を生んでおり、同時にデジタル時代の中で、非常に重要な役割を積極的に担っている。その主な原因は、光ファイバー通信には伝送容量が大きい、機密性がある、などの複数の利点があるためであるが、従来の光ファイバーケーブルは主に石英ガラスで成り、従来の光ファイバーケーブルが激しく折り曲げられると、折れて断裂する危険があるため、使用コストの増加を招くことがある。このため、一部業者は光ファイバー信号を直接デジタルまたはアナログ信号コネクタに変換できる光ファイバーケーブルを開発している。
【０００３】
また、携帯端末の薄型化・小型化のトレンドに伴い、相対して携帯端末上のコネクタもその占用体積を減少する必要があるため、携帯端末上のメスコネクタは小型化したメスコネクタが多く採用されるようになっている。このため、組み合わせるケーブルのオスコネクタも小型化したものに変える必要がある。しかしながら、従来の家庭用電子機器のコネクタはまだ小型化されておらず、使用者はサイズの異なるメスコネクタに対応するため、オスコネクタのサイズの異なる複数のケーブルを用意する必要がある。
【０００４】
このため、一部の業者によって前述の光ファイバーケーブルの小型化されたオスコネクタ（例：Ｍｉｃｒｏ  ＨＤＭＩ（登録商標））を大きいサイズのオスコネクタ（例：ＨＤＭＩ（登録商標））に変換するアダプタが開発されている。しかしながら、従来のアダプタはケーブル結合の安定性を確保するため、主にねじで螺合する方法でケーブルのオスコネクタとアダプタを相互に固定している。この場合、ケーブルのオスコネクタに予めねじ孔を設ける必要があり、小さな体積のコネクタにねじ孔の空間を増設するとなると、コネクタ内部の回路設計の難度に影響する。このほか、光ファイバーケーブルは伝送容量が大きいという利点があり、また環境のニーズによって伝送距離が長くなることがあるため、伝送品質に影響しないように正確でしっかりとした電気的接続が必要となる。長距離伝送に応用する場合、光ファイバーケーブルの長さが長くなるほか、光ファイバーケーブルそのものの重量及びコネクタの負荷重量も増加するため、単一のねじによる螺合方式で光ファイバーケーブルを固定すると、光ファイバーケーブルとアダプタにぐらつきや引張りが生じやすく、光ファイバーケーブルの伝送品質に影響してしまう。
【考案の概要】
【考案が解決しようとする課題】
【０００５】
本考案は、コネクタ連結構造を提供することを課題とする。
【課題を解決するための手段】
【０００６】
以下この考案について説明する。請求項１に記載するコネクタ連結構造は、コネクタ部と、アダプタを含み、該コネクタ部の一端にケーブルが設けられ、他端に第１オスコネクタが設けられ、かつ該第１オスコネクタの周囲に少なくとも１つの第１磁性部材が設置され、かつ該コネクタ部の少なくとも１つの側辺にガイド溝が設けられ、その底面に位置決め凹部が設けられ、該アダプタが該コネクタ部と相互に結合されるために用いられ、その一端に第２オスコネクタが設けられ、他端に結合部が凹設され、該第１オスコネクタ（例：Ｍｉｃｒｏ  ＨＤＭＩ（登録商標））と該第２オスコネクタ（例：ＨＤＭＩ（登録商標））の大きさが異なり、かつ該アダプタの結合部の位置に信号メスコネクタと、少なくとも１つの第２磁性部材と、凸部と、弾性片がそれぞれ設けられ、該信号メスコネクタと該第１オスコネクタが相互に対応して電気的に相互接続され、該第２磁性部材と該第１磁性部材が相互に対応して相互吸着され、該凸部と該ガイド溝が相互に対応して相互結合され、該弾性片と該位置決め凹部が相互に対応して相互嵌合され、また該アダプタの該結合部底面にさらに少なくとも１つのねじ孔が設けられ、該ねじ孔が予め設置されたねじ部材と相互に螺合するために用いられ、該コネクタ部と該アダプタを相互に結合したとき、該ねじ部材が該ねじ孔に穿設されて該コネクタ部の底部に当接される。
【０００７】
請求項２に記載するコネクタ連結構造は、請求項１における該アダプタの側辺にさらに滑り止め部が設けられ、該滑り止め部が間隔をあけて配列された凹溝である。
【０００８】
請求項３に記載するコネクタ連結構造は、請求項１における該アダプタの側辺にさらに滑り止め部が設けられ、該滑り止め部が間隔をあけて配列された凸部である。
【０００９】
請求項４に記載するコネクタ連結構造は、請求項１における該アダプタの該結合部の頂部にさらに当接板が延伸して設けられ、該コネクタ部が該結合部の位置にあるとき、該コネクタ部が該当接板及び該結合部の底面に当接される。
【００１０】
請求項５に記載するコネクタ連結構造は、請求項１における該第１オスコネクタが小型化された規格品であり、該第２オスコネクタが前記規格品より大きなサイズの規格品である。
【００１１】
請求項６に記載するコネクタ連結構造は、請求項１における該コネクタ部の該第１オスコネクタ周囲に少なくとも１つの位置決め孔が設けられ、該アダプタの該結合部の位置に少なくとも１つの位置決めピンが設けられ、該位置決めピンと該位置決め孔が相互に対応して相互嵌合される。
【考案の効果】
【００１２】
本考案の技術的特徴は、コネクタ部に第１磁性部材と、ガイド溝と、位置決め凹部がそれぞれ設けられ、アダプタの結合部の位置に信号メスコネクタと、第２磁性部材と、凸部と、弾性片がそれぞれ設けられていることで、コネクタ部とアダプタを相互に結合したとき、コネクタ部に設けられた第１オスコネクタとアダプタの信号メスコネクタを相互に電気的に接続し、さらに第１磁性部材と第２磁性部材を相互に吸着させ、凸部とガイド溝を相互に結合させ、位置決め凹部と弾性片を相互に嵌合させることを通じ、コネクタ部とアダプタを複数点でしっかりと結合することができ、またコネクタ部の第１オスコネクタを異なる大きさの穿孔に穿通させた後、第２オスコネクタ経由で接続能力を発揮させることができる。
【図面の簡単な説明】
【００１３】
【図１】本考案のコネクタ連結構造の立体外観図である。
【図２】本考案のコネクタ連結構造の立体分解図である。
【図３】本考案のコネクタ連結構造のアダプタの俯瞰図である。
【図４】本考案のコネクタ連結構造のコネクタ部の俯瞰図である。
【図５】本考案のコネクタ連結構造のコネクタ部の側面図である。
【図６】本考案のコネクタ連結構造のコネクタ部の底面図である。
【考案を実施するための形態】
【００１４】
図１から図６に示すように、本考案のコネクタ連結構造は、コネクタ部１と、アダプタ２を含む。
【００１５】
該コネクタ部１はその一端にケーブル１１が設けられ、他端に第１オスコネクタ１２が設けられ、該コネクタ部１の第１オスコネクタ１２周囲に少なくとも１つの第１磁性部材１３（図５参照）が設けられる。かつ該コネクタ部１の少なくとも１つの側辺にガイド溝１４が設けられ、底面に位置決め凹部１５が設けられ、該ガイド溝１４と該位置決め凹部１５が該第１オスコネクタ１２に相隣する。また、該コネクタ部１の第１オスコネクタ１２周囲に少なくとも１つの位置決め孔１６が設けられる。該第１オスコネクタ１２はＭｉｃｒｏ  ＨＤＭＩ（登録商標）のオスコネクタまたはその他Micro規格のオスコネクタとすることができる。
【００１６】
アダプタ２はコネクタ部１と相互に結合するために用いられる。該アダプタ２の一端に第２オスコネクタ２１が設けられ、他端に結合部２２が凹設され、アダプタ２の結合部２２の位置に信号メスコネクタ２３と、少なくとも１つの第２磁性部材２４と、凸部２５と、弾性片２６がそれぞれ設けられる。該信号メスコネクタ２３と第１オスコネクタ１２が相互に対応して電気的に相互接続され、該第２磁性部材２４と該第１磁性部材１３が相互に対応して相互吸着され、該凸部２５と該ガイド溝１４が相互に対応して相互結合され、該弾性片２６と該位置決め凹部１５が相互に対応して相互嵌合される。該弾性片２６は位置決め凹部１５の方向に折り曲げにより突出された折り曲げ部が形成され、弾性片２６を位置決め凹部１５内に嵌設させて位置決めすることができる。また、アダプタ２は結合部２２の位置に少なくとも１つの位置決めピン２０が設けられ、該位置決めピン２０とコネクタ部１の位置決め孔１６が相互に対応して相互嵌合される。前記第２オスコネクタ２１はＨＤＭＩ（登録商標）コネクタまたはその他非Ｍｉｃｒｏ規格のコネクタとすることができ、第１オスコネクタ１２と第２オスコネクタ２１は大きさが異なる。
【００１７】
即ち、コネクタ部１に第１オスコネクタ１２、第１磁性部材１３、ガイド溝１４、位置決め凹部１５をそれぞれ設け、アダプタ２の結合部２２位置に信号メスコネクタ２３、第２磁性部材２４、凸部２５、弾性片２６をそれぞれ設け、コネクタ部１とアダプタ２を相互に結合したとき、コネクタ部１に設置された第１オスコネクタ１２がアダプタ２の信号メスコネクタ２３と相互に電気的に接続され、第１オスコネクタ１２と第２オスコネクタ２１に電気的導通が形成される。さらに、第１磁性部材１３と第２磁性部材２４を相互に吸着させ、凸部２５とガイド溝１４を相互に結合させ、位置決め凹部１５と弾性片２６を相互に嵌合させることができ、さらに位置決め孔１６と位置決めピン２０を相互に嵌合させて、コネクタ部１とアダプタ２の複数点でのしっかりとした結合が達せられる。
【００１８】
ここで、該コネクタ部１のケーブル１１は光ファイバーケーブルとすることができ、コネクタ部１とアダプタ２が複数点で全面的に安定した結合能力を備えているため、光ファイバー信号を確実に伝送することができる。
【００１９】
同時に、コネクタ部１の第１オスコネクタ１２はアダプタ２の第２オスコネクタ２１を介して異なる大きさのメスコネクタと相互に結合することができる。
【００２０】
このほか、該アダプタ２は結合部２２の底面にさらに少なくとも１つのねじ孔２７を設けてもよく、該ねじ孔２７と予め設けたねじ部材３を相互に螺合する。コネクタ部１とアダプタ２を相互に結合したとき、ねじ部材３をねじ孔２７に穿設してコネクタ部１の底部に当接させることで、コネクタ部１とアダプタ２をよりしっかりと結合することができる。
【００２１】
さらに、該アダプタ２の側辺に滑り止め部２８を設けてもよく、該滑り止め部２８は間隔をあけて配列された凹溝または凸部とすることができ、該滑り止め部２８によりアダプタ２の側辺の摩擦力を高め、持ちやすくすることができる。
【００２２】
また、該アダプタ２の結合部２２の頂部にさらに当接板２９を延伸して設け、コネクタ部１が結合部２２の位置にあるとき、コネクタ部１が当接板２９及び結合部２２の底面に当たることで、コネクタ部１とアダプタ２をよりしっかりと結合させることができる。このほか、さらに当接板２９の遮りを利用してねじ部材３がコネクタ部１の底部に当接されたときに生じる反作用応力を打ち消し、コネクタ部１の第１オスコネクタ１２がアダプタ２の信号メスコネクタ２３内にしっかりと挿入されるよう確保することができる。
【符号の説明】
【００２３】
１        コネクタ部
１１      ケーブル
１２      第１オスコネクタ
１３      第１磁性部材
１４      ガイド溝
１５      位置決め凹部
１６      位置決め孔
２        アダプタ
２０      位置決めピン
２１      第２オスコネクタ
２２      結合部
２３      信号メスコネクタ
２４      第２磁性部材
２５      凸部
２６      弾性片
２７      ねじ孔
２８      滑り止め部
２９      当接板
３        ねじ部材
【図１】
0003216508.tif 000003
【図２】
0003216508.tif 000004
【図３】
0003216508.tif 000005
【図４】
0003216508.tif 000006
【図５】
0003216508.tif 000007
【図６】
0003216508.tif 000008